(57)【要約】【課題】セパレータが抜け出し難い、コンクリート型枠用セパレータ連結金具を提供すること。【解決手段】連結金具本体の左右の両側面１１２Ｌ，１１２Ｒそれぞれに、その上辺から下辺に向かいその途中まで二条の切り込みを入れ、その後、その上辺を左側面１１２Ｌ側の側面折り曲げ部１１２Ｌ１の折曲げ角度θＬ１より、右側面１１２Ｒ側の側面折り曲げ部１１２Ｒ１の折曲げ角度θＲ１の方を大きくして、図上鉛直方向における右側面１１２Ｒ側の側面折り曲げ部１１２Ｒ１先端部の高さより、左側面１１２Ｌ側の側面折り曲げ部１１２Ｌ１先端部の高さが高くなるように内側に折り曲げ、左右の両側面１１２Ｌ，１１２Ｒそれぞれから連結金具本体１１内に突出し、セパレータ２先端部のネジ部２ｂの抜け止めを行う一対の側面折り曲げ部１１２Ｌ１，１１２Ｒ１を設ける。【選択図】図６
2012127104.tif 000002
【特許請求の範囲】
【請求項１】
所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、
コンクリート型枠に挿入され、型枠締付金具により当該コンクリート型枠の外側から締め付け固定されるネジ棒と、
上記ネジ棒先端に取り付けられた後側面と、左右両側面と、底面と、前側面とを有する上部開放形状で、上記コンクリート型枠用セパレータ端部のナットを収容すると共に、上記前側面の上辺のほぼ中央から上記底面に向かって切り欠かれたセパレータ支持溝部により上記ナットより内側の上記コンクリート型枠用セパレータの軸部を支持する連結金具本体とを有し、
上記連結金具本体の上記左右両側面には、
上記左右両側面それぞれの一部に切り込みを入れて内側に折り曲げ、上記左右両側面それぞれから上記連結金具本体内に突出し、その最小間隔が上記ナットより外側に突出する上記コンクリート型枠用セパレータ先端部の外径より小さい間隙により，上記コンクリート型枠用セパレータ先端部の抜け止めを行う一対の側面折り曲げ部が形成され、
上記セパレータ支持溝部の長手方向における上記一対の側面折り曲げ部の先端部の高さが異なる、
ことを特徴とするコンクリート型枠用セパレータ連結金具。
【請求項２】
請求項１に記載のコンクリート型枠用セパレータ連結金具において、
上記一対の側面折り曲げ部のうち、上記ネジ棒に対する上記型枠締付金具による締め付けにより上記連結金具本体の回転方向とは反対側となる側面折り曲げ部の先端部の高さを、上記連結金具本体の回転方向側となる側面折り曲げ部の先端部の高さより高くする、
ことを特徴とするコンクリート型枠用セパレータ連結金具。
【請求項３】
請求項１または請求項２に記載のコンクリート型枠用セパレータ連結金具において、
上記連結金具本体の上記前側面には、
上記セパレータ支持溝部の両側からその中心に向かって突出して設けられ、それらの先端部間の最小間隔が上記ナットより内側の上記セパレータの軸部の外径より小さく、当該軸部の抜け止めを行う一対の突部を有する、
ことを特徴とするコンクリート型枠用セパレータ連結金具。
【請求項４】
請求項３に記載のコンクリート型枠用セパレータ連結金具において、
上記セパレータ支持溝部の長手方向における上記一対の側面折り曲げ部の先端部の高さより、上記一対の突部の先端部の高さの方が高い、
ことを特徴とするコンクリート型枠用セパレータ連結金具。
【発明の詳細な説明】
【技術分野】
【０００１】
本発明は、所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具に関する。
【背景技術】
【０００２】
例えば、梁型枠などの所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具について、本件出願人は以前出願して公開されており（例えば、特許文献１参照。）、また、他者からも出願されて公開・意匠登録等されている（例えば、特許文献２，３参照。）。
【先行技術文献】
【特許文献】
【０００３】
【特許文献１】特開２００７−０４６３２５号公報
【特許文献２】特開２００７−１５４５１５号公報
【特許文献３】意匠登録第１１４０１３７号公報
【発明の概要】
【発明が解決しようとする課題】
【０００４】
特許文献１に記載の従来のコンクリート型枠用セパレータ連結金具は、基本的には一対の折り曲げ片のみで抜け止めを行うものである。ところが、コンクリート型枠用セパレータを接続する際の極端な施工誤差や、コンクリート打設中のバイブレータなど、想定を超えた使用条件化では、連結金具からコンクリート型枠用セパレータが抜け出すおそれがあり、改善の余地があった。
【０００５】
すなわち、一般的に、一対のコンクリート型枠内面のそれぞれの対向位置に一対の連結金具を設ける場合、必ず、多少の施工誤差が生じ、厳密な同一直線上には取り付けられない。例えば、一組の連結金具の一方が上下方向に大きくずれて取り付けられた場合、コンクリート型枠用セパレータの一方側（先入れ側）の端部を連結金具に打ち込んだ後、他方側（後入れ側）の端部を打ち込む際に、一方側（先入れ側）が、テコの反力によって外れてしまうことがある。
【０００６】
また、上記特許文献２，３の従来技術であっても、左右の両側面それぞれの一部に切り込みを入れて内側に折り曲げて形成したメインストッパーである一対の側面折り曲げ部の他に、連結金具本体の前側面のセパレータ支持溝に突起等のサブストッパーを設けてコンクリート型枠用セパレータの抜け出しを防止するようにしているが、単に上方からコンクリート型枠用セパレータを抑えているに過ぎないため、コンクリートの打設中に、バイブレータ等がコンクリート型枠用セパレータに当たると、その振動によって、コンクリート型枠用セパレータが外れることがあった。特に、壁厚が施工誤差等によりプラスになった場合、上方からコンクリート型枠用セパレータが浮き易く、簡単に外れることがあった。
【０００７】
また、コンクリート型枠用セパレータ連結金具は、コンクリート型枠の外側からフォームタイ（登録商標）等の型枠締付金具により、そのネジ棒を締め付けてコンクリート型枠の内側に固定しているが、その際、コンクリート型枠用セパレータ連結金具が供回りをしてコンクリート型枠に対し斜めに取付けられることがあり、このような場合、上手くコンクリート型枠用セパレータを連結金具本体の前側面のセパレータ支持溝に入れないと、さらに、コンクリート型枠用セパレータ連結金具が緩む方向に回転してしまい、コンクリート型枠用セパレータが外れるおそれがある、という問題もある。
【０００８】
そこで、本発明は、コンクリート型枠用セパレータが抜け出し難い、コンクリート型枠用セパレータ連結金具を提供することを目的とする。
【課題を解決するための手段】
【０００９】
上記目的を達成するため、本発明のコンクリート型枠用セパレータ連結金具は、所定間隔離された一対のコンクリート型枠に取り付けられ、当該一対のコンクリート型枠間に挿入されるコンクリート型枠用セパレータのナットが螺着された両端部を支持するコンクリート型枠用セパレータ連結金具であって、コンクリート型枠に挿入され、型枠締付金具により当該コンクリート型枠の外側から締め付け固定されるネジ棒と、上記ネジ棒先端に取り付けられた後側面と、左右両側面と、底面と、前側面とを有する上部開放形状で、上記コンクリート型枠用セパレータ端部のナットを収容すると共に、上記前側面の上辺のほぼ中央から上記底面に向かって切り欠かれたセパレータ支持溝部により上記ナットより内側の上記コンクリート型枠用セパレータの軸部を支持する連結金具本体とを有し、上記連結金具本体の上記左右両側面には、上記左右両側面それぞれの一部に切り込みを入れて内側に折り曲げ、上記左右両側面それぞれから上記連結金具本体内に突出し、その最小間隔が上記ナットより外側に突出する上記コンクリート型枠用セパレータ先端部の外径より小さい間隙により，上記コンクリート型枠用セパレータ先端部の抜け止めを行う一対の側面折り曲げ部が形成され、上記セパレータ支持溝部の長手方向における上記一対の側面折り曲げ部の先端部の高さが異なる、ことを特徴とするコンクリート型枠用セパレータ連結金具である。
ここで、上記一対の側面折り曲げ部のうち、上記ネジ棒に対する上記型枠締付金具による締め付けにより上記連結金具本体の回転方向とは反対側となる側面折り曲げ部の先端部の高さを、上記連結金具本体の回転方向側となる側面折り曲げ部の先端部の高さより高くする、ようにしても勿論よい。
また、上記連結金具本体の上記前側面には、上記セパレータ支持溝部の両側からその中心に向かって突出して設けられ、それらの先端部間の最小間隔が上記ナットより内側の上記セパレータの軸部の外径より小さく、当該軸部の抜け止めを行う一対の突部を有する、ようにしても勿論よい。
また、上記セパレータ支持溝部の長手方向における上記一対の側面折り曲げ部の先端部の高さより、上記一対の突部の先端部の高さの方が高い、ようにしても勿論よい。
なお、上記一対の側面折り曲げ部は、上記連結金具本体の左右の両側面それぞれの上辺から底面に向かって途中まで二条の切り込みを入れ、かつ、その切り込み間の上端部を内側に折り曲げ、左右の両側面それぞれから連結金具本体内に突出させて形成される、ようにしても勿論よい。また、上記一対の側面折り曲げ部は、上記セパレータ支持溝部の長手方向における上記連結金具本体の左右の両側面それぞれのほぼ中央部分から上辺に向かい途中まで二条の切り込みを入れると共に、その中央部分の切り込み開始地点の２箇所を結ぶように切込みを入れ、かつ、その下端部を内側に折り曲げことにより形成される、ようにしても勿論よい。
【発明の効果】
【００１０】
本発明のコンクリート型枠用セパレータ連結金具では、連結金具本体の左右両側面それぞれの一部に切り込みを入れて内側に折り曲げて、その先端部によりナットより外側に突出するコンクリート型枠用セパレータ端部の抜け止めを行う一対の側面折り曲げ部を設けているが、その一対の側面折り曲げ部の先端部のセパレータ支持溝部の長手方向における高さをずらしたので、高さを同一にする従来の場合と較べて、その先端部間の間隔を小さくすることができる。その結果、コンクリート型枠用セパレータが上方へ抜けようとしたときに効果的に抑止することが可能となり、従来よりセパレータを強固に支持することができる。
【図面の簡単な説明】
【００１１】
【図１】本発明に係る実施の形態１のコンクリート型枠用セパレータ連結金具とセパレータとをコンクリート型枠に配置した状態を示す断面図である。
【図２】図１におけるＡ部分の部分断面図である。
【図３】本発明に係る実施の形態１のコンクリート型枠用セパレータ連結金具とセパレータとの外観を示す斜視図である。
【図４】（ａ），（ｂ）は、それぞれ、実施の形態１のコンクリート型枠用セパレータ連結金具の連結金具本体の正面図、平面図の一例を示す図である。
【図５】（ａ），（ｂ）は、それぞれ、図４に示す実施の形態１のコンクリート型枠用セパレータ連結金具の連結金具本体のＢ−Ｂ線断面図、Ｃ−Ｃ線断面図である。
【図６】本発明に係る実施の形態１のコンクリート型枠用セパレータ連結金具の供回りの方向等を示す断面図である。
【図７】本発明に係る実施の形態１のコンクリート型枠用セパレータ連結金具の連結金具本体が傾いた場合の作用等を示す断面図である。
【図８】本発明に係る実施の形態１の変形例のコンクリート型枠用セパレータ連結金具の連結金具本体が傾いた場合の作用等を示す断面図である。
【図９】（ａ）〜（ｃ）は、それぞれ、実施の形態１のコンクリート型枠用セパレータ連結金具の他の例を示す断面図である。
【図１０】（ａ），（ｂ）は、それぞれ、実施の形態２のコンクリート型枠用セパレータ連結金具の斜視図、および一対の側面折り曲げ部の折れ曲がり状態を示す断面図である。
【図１１】（ａ）〜（ｃ）は、それぞれ、実施の形態２のコンクリート型枠用セパレータ連結金具の他の例を示す断面図である。
【図１２】実施の形態３のコンクリート型枠用セパレータ連結金具１”の連結金具本体の前側面部を示す正面図である。
【発明を実施するための形態】
【００１２】
以下、本発明に係るコンクリート型枠用セパレータ連結金具の実施の形態１〜３を、添付図面を参照しながら詳細に説明する。
【００１３】
実施の形態１．
図１は、実施の形態１のコンクリート型枠用セパレータ連結金具１と、セパレータ２とを一対のコンクリート型枠４，４に配置した状態を示す断面図、図２は、図１におけるＡ部分の部分断面図、図３は、本発明に係る実施の形態のコンクリート型枠用セパレータ連結金具１とコンクリート型枠用セパレータ（以下、セパレータと略す。）２との外観を示す斜視図である。
【００１４】
図１および図２に示すように、実施の形態１のコンクリート型枠用セパレータ連結金具１は、所定間隔離され、鉄筋５が配筋された対向する一対のコンクリート型枠４，４に取り付けられ、当該一対のコンクリート型枠４，４間に挿入されるセパレータ２の両端部を支持するものである。なお、図１において、６はコンクリート型枠板４の外側からコンクリート型枠用セパレータ連結金具１を取り付けるフォームタイ、７，８はバタ材（通しバタ）である。
【００１５】
コンクリート型枠用セパレータ連結金具１は、図２および図３に示すように、両コンクリート型枠板４，４の内側に取り付けられ、それぞれナット２ｃが螺合されているセパレータ２の両端部を支持する連結金具本体１１と、その連結金具本体１１に取付けられてその端部がコンクリート型枠板４を貫通して外側に伸びるネジ棒１２と、そのネジ棒１２に貫通して設けられる金属製円錐台状のコーン部材１３を有する。
【００１６】
連結金具本体１１は、図２および図３に示すように、ネジ棒１２先端に取り付けられる後側面１１１と、左側面１１２Ｌと、右側面１１２Ｒと、底面１１３と、前側面１１４とを有する上部開放形状で構成されている。
【００１７】
連結金具本体１１の後側面１１１には、図２や後述する図５（ｂ）に示すように、図上鉛直方向に延びる係合溝部１１１ａが設けられており、その係合溝部１１１ａに、ネジ棒１２の一端に設けたくびれ部１２ｃが回転可能に支持される。そして、ネジ棒１２先端部の円盤部１２ａが連結金具本体１１内に収納された状態で取り付けられ、その円盤部１２ａが連結金具本体１１の後側面１１１に当り、連結金具本体１１からのネジ棒１２の抜け止めを図っている。なお、本発明では、ネジ棒１２にくびれ部１２ｃを設けるか否かは任意である。
【００１８】
また、連結金具本体１１の左右の両側面１１２Ｌ，１１２Ｒには、図３に示すように、それぞれの一部に上辺（上端）から底面１１３に向かって途中まで二条の切り込みを入れ、かつ、その切り込み間の上端部を先端部として内側に折り曲げて、左右の両側面１１２Ｌ，１１２Ｒそれぞれから連結金具本体１１内に突出させ、その先端部間の最小間隔がセパレータ２先端部のネジ部２ｂの外径より小さく形成した一対の側面折り曲げ部１１２Ｌ１，１１２Ｒ１を有する。なお、本実施の形態１における一対の側面折り曲げ部１１２Ｌ１，１１２Ｒ１の特徴については後述する。
【００１９】
そして、図２および図３に示すように、その一対の側面折り曲げ部１１２Ｌ１，１１２Ｒ１と、左右の両側面１１２Ｌ，１１２Ｒと、前側面１１４とにより、セパレータ２先端部のナット２ｃを収容するナット収容部１１ａを形成している。
【００２０】
また、連結金具本体１１の前側面１１４には、セパレータ２の軸部２ａの係止溝２ａ１の外径φ１とほぼ同じであるか、わずかに大きく、図上鉛直方向であって長尺形状に切り欠かれ、セパレータ２の軸部２ａを支持するセパレータ支持溝部１１４Ｃと、そのセパレータ支持溝部１１４Ｃの両側に突出して設けられ、その最小間隔がセパレータ２の軸部２ａの係止溝２ａ１の外径φ１より小さい一対の突部１１４Ｌ１，１１４Ｒ１とを設けている。なお、セパレータ２の軸部２ａに係止溝２ａ１を設けるか否かは任意である。
【００２１】
また、連結金具本体１１の底面１１３には、図２および後述する図４（ｂ）に示すように、水抜き孔１１３ａが形成されている。
【００２２】
また、ネジ棒１２の他端には、図２および図３に示すように、ネジ部１２ｂが形成されており、図２に示すように、コンクリート型枠板４に形成された通し穴４ａから外側に突出して、図１に示すように、コンクリート型枠板４の外側に設けたフォームタイ６やバタ材７，８を介してコンクリート型枠板４に固定される。
【００２３】
コーン部材１３は、図２等に示すように、プレス加工等により形成され、その内側端１３ａが連結金具本体１１の後側面１１１に接し、外側端１３ｂがコンクリート型枠板４の内面に接して、連結金具本体１１をコンクリート型枠板４に対して所定間隔離すものである。
【００２４】
セパレータ２は、図２および図３に示すように、軸部２ａの両端に、それぞれ、ネジ部２ｂが設けられており、ネジ部２ｂにはナット２ｃが取り付けられている。そして、セパレータ２を連結金具本体１１の上に仮置きし、ハンマー等により叩いて、ナット２ｃを連結金具本体１１のナット収容部１１ａに嵌め込み本置きする場合、このネジ部２ｂが、図２及び図３に示すように、一対の側面折り曲げ部１１２Ｌ１，１１２Ｒ１間に圧入され、その下方空間に嵌め込まれる。また、前述したように、セパレータ２の軸部２ａとネジ部２ｂの境界部分の外周には、係止溝２ａ１が形成されており、この軸部２ａの係止溝２ａ１が、突部１１４Ｌ１，１１４Ｒ１との間に圧入され、セパレータ支持溝部１１４Ｃ内に嵌め込まれる。
【００２５】
図４（ａ），（ｂ）は、それぞれ、実施の形態１のコンクリート型枠用セパレータ連結金具１の連結金具本体１１の正面図、平面図の一例を示す図、図５（ａ），（ｂ）は、それぞれ、図４（ｂ）におけるＢ−Ｂ線断面図、Ｃ−Ｃ線断面図である。
【００２６】
図４（ａ）に示すように、連結金具本体１１の前側面１１４は、その中央部分を縦方向に、セパレータ２の軸部２ａの係止溝２ａ１の外径φ１とほぼ同じか、わずかに大きく切り欠かれた、セパレータ２の軸部２ａの係止溝２ａ１を支持する図上鉛直方向に長尺形状のセパレータ支持溝部１１４Ｃが形成され、右側前側面１１４Ｒと、左側前側面１１４Ｌとに区分されている。
【００２７】
そして、本実施の形態１のコンクリート型枠用セパレータ連結金具１では、図４（ａ）に示すように、右側前側面１１４Ｒと左側前側面１１４Ｌそれぞれに、セパレータ支持溝部１１４Ｃの中心に向かって突出して一対の突部１１４Ｌ１，１１４Ｒ１を設けている。なお、本発明では、連結金具本体１１の前側面１１４に一対の突部１１４Ｌ１，１１４Ｒ１を設けることは任意で、省略しても良く、また、セパレータ支持溝部１１４Ｃの短手方向、すなわち図上水平方向における突部１１４Ｒ１の突出高さと、同方向における突部１１４Ｌ１の突出高さは、同じでも、異なっていてもどちらでも良いが、本実施の形態１のコンクリート型枠用セパレータ連結金具１では、説明の便宜上、同じものとして説明する。
【００２８】
また、本実施の形態１のコンクリート型枠用セパレータ連結金具１では、図４（ａ），（ｂ）および図５（ａ），（ｂ）に示すように、連結金具本体１１の左右の両側面１１２Ｌ，１１２Ｒそれぞれに、その上辺から下辺に向かいその途中まで二条の切り込みを入れ、その後、その上辺を内側に折り曲げて、左右の両側面１１２Ｌ，１１２Ｒそれぞれから連結金具本体１１内に突出し、セパレータ２先端部のネジ部２ｂの抜け止めを行う一対の側面折り曲げ部１１２Ｌ１，１１２Ｒ１を設けている。
【００２９】
ここで、本実施の形態１のコンクリート型枠用セパレータ連結金具１では、一対の側面折り曲げ部１１２Ｌ１，１１２Ｒ１は、次のような特徴と効果を有している。以下、分説する。
【００３０】
（１）一対の側面折り曲げ部１１２Ｌ１，１１２Ｒ１それぞれの先端部の高さがずれている特徴とその効果。
【００３１】
つまり、本実施の形態１のコンクリート型枠用セパレータ連結金具１では、図４（ａ），（ｂ）および図５（ａ），（ｂ）に示すように、連結金具本体１１の左右の両側面１１２Ｌ，１１２Ｒそれぞれに同じ長さの二条の切り込みを入れるもの、内側に折り曲げる角度を変えて、セパレータ支持溝部１１４Ｃの長手方向、すなわち図上鉛直方向における右側面１１２Ｒ側の側面折り曲げ部１１２Ｒ１先端部の高さより、左側面１１２Ｌ側の側面折り曲げ部１１２Ｌ１先端部の高さが高くなるように設けている。
【００３２】
具体的には、図４（ａ）および図５（ｂ）に示すように、左側面１１２Ｌ側の側面折り曲げ部１１２Ｌ１の折曲げ角度θＬ１より、右側面１１２Ｒ側の側面折り曲げ部１１２Ｒ１の折曲げ角度θＲ１の方を大きくして、図上鉛直方向における右側面１１２Ｒ側の側面折り曲げ部１１２Ｒ１先端部の高さより、左側面１１２Ｌ側の側面折り曲げ部１１２Ｌ１先端部の高さを高くしている。
【００３３】
そのため、本実施の形態１のコンクリート型枠用セパレータ連結金具１では、一対の側面折り曲げ部を対称形状に折り曲げてそれらの先端部を同じ高さにする場合と比較して、図上鉛直方向における一対の側面折り曲げ部１１２Ｌ１，１１２Ｒ１先端部の高さがずれるので、それらの先端部間の間隔を小さくすることができる。その結果、セパレータ２をハンマー等により叩く等して、セパレータ２両端が、それぞれ側面折り曲げ部１１２Ｌ１，１１２Ｒ１の隙間ｈ３１を、それらの素材の弾性に抗しながら乗り越えて連結金具本体１１内の所定位置に嵌め込まれた本置き状態では、一対の側面折り曲げ部を対称形状に折り曲げてそれらの先端部を同じ高さにする場合よりも、連結金具本体１１に本置きされたセパレータ２の上方への抜け止めを防止することが可能となる。
【００３４】
例えば、図４（ａ）に示すように、セパレータ２のネジ部２ｂの最大外径φ２の８．０ｍｍ以下とし、側面折り曲げ部１１２Ｌ１，１１２Ｒ１先端部間の斜め方向の間隔ｈ３１’を７．８ｍｍとすると、側面折り曲げ部１１２Ｌ１，１１２Ｒ１の図上水平方向の最小間隔ｈ３１は７．５ｍｍとなり、側面折り曲げ部１１２Ｌ１，１１２Ｒ１先端部間の斜め方向の間隔ｈ３１’の７．８ｍｍより小さくなる。そのため、この点からも、図上鉛直方向における一対の側面折り曲げ部１１２Ｌ１，１１２Ｒ１先端部の高さをずらしたことにより、連結金具本体１１に本置きされたセパレータ２の上方への抜け止めを防止の強化がわかることになる。
【００３５】
（２）回転方向Ｄ側とは反対側の側面折り曲げ部１１２Ｌ１先端部の高さの方が高いという特徴とその効果。
【００３６】
ところで、本実施の形態１のコンクリート型枠用セパレータ連結金具１の連結金具本体１１は、図１や図２に示すように、コンクリート型枠４の外側で、ネジ棒１２にフォームタイ６を取付け、図６に示すように、フォームタイ６をＤ方向に回転させてコンクリート型枠用セパレータ連結金具１をコンクリート型枠４に取り付けている。そのため、例えば、Ｄ方向へのフォームタイ６の回転により、図７に示すように、連結金具本体１１もＤ方向に供回りして傾いて取り付けられることがある。
【００３７】
ここで、本実施の形態１のコンクリート型枠用セパレータ連結金具１では、図５（ｂ）に示すように、左側面１１２Ｌ側の側面折り曲げ部１１２Ｌ１の折曲げ角度θＬ１より、右側面１１２Ｒ側の側面折り曲げ部１１２Ｒ１の折曲げ角度θＲ１の方を大きくすることにより、図上鉛直方向における、回転方向Ｄ側となる右側面１１２Ｒ側の側面折り曲げ部１１２Ｒ１先端部の高さより、それとは反対側となる左側面１１２Ｌ側の側面折り曲げ部１１２Ｌ１先端部の高さを高くしている。
【００３８】
これにより、図７に示すように、連結金具本体１１がＤ方向に供回りして傾いた場合、右側面１１２Ｒ側の側面折り曲げ部１１２Ｒ１の先端部と、左側面１１２Ｌ側の側面折り曲げ部１１２Ｌ１の先端部とを結ぶ直線の傾きがさらに大きくなる。そのため、連結金具本体１１が傾いていない場合における右側面１１２Ｒ側の側面折り曲げ部１１２Ｒ１の先端部と左側面１１２Ｌ側の側面折り曲げ部１１２Ｌ１の先端部との間の水平距離ｈ３１（図６参照。）より、連結金具本体１１が回転方向Ｄ側に傾いた場合における右側面１１２Ｒ側の側面折り曲げ部１１２Ｒ１の先端部と左側面１１２Ｌ側の側面折り曲げ部１１２Ｌ１の先端部との間の水平距離ｈ３２（図７参照。）の方が小さくなる。
【００３９】
その結果、本実施の形態１のコンクリート型枠用セパレータ連結金具１では、フォームタイ６のＤ方向への回転により、連結金具本体１１もＤ方向に供回りして傾いて取り付けられた状態で、セパレータ２が側面折り曲げ部１１２Ｌ１，１１２Ｒ１の素材の弾性に抗しながら乗り越えて連結金具本体１１内の所定位置に嵌め込まれた場合、連結金具本体１１が傾いていない場合よりも、セパレータ２の上方への抜け止めをより確実に防止することができる。なお、本実施の形態１とは異なり、図８に示すように、左側面１１２Ｌ側の側面折り曲げ部１１２Ｌ２の折曲げ角度θＬ２と、右側面１１２Ｒ側の側面折り曲げ部１１２Ｒ２の折曲げ角度θＲ２とを逆にして、右側面１１２Ｒ側の側面折り曲げ部１１２Ｒ２先端部の高さを左側面１１２Ｌ側の側面折り曲げ部１１２Ｌ２先端部の高さより高くした場合には、側面折り曲げ部１１２Ｒ２先端部と側面折り曲げ部１１２Ｌ２先端部とを結ぶ直線の傾きがいったん水平方向に近付こうとするので、側面折り曲げ部１１２Ｒ２先端部と側面折り曲げ部１１２Ｌ２先端部との間の水平距離ｈ３３が、連結金具本体１１が傾いていない場合の同水平距離ｈ３１（図６参照。）と比較して大きくなり、返ってセパレータ２が上方へ抜け易くなる。
【００４０】
（３）回転方向Ｄ側とは反対側の側面折り曲げ部１１２Ｌ１先端部の方がセパレータ支持溝部１１４Ｃの中心に近いという特徴とその効果。
【００４１】
本実施の形態１のコンクリート型枠用セパレータ連結金具１では、図５（ｂ）および図６等に示すように、左側面１１２Ｌ側の側面折り曲げ部１１２Ｌ１の折曲げ角度θＬ１より、右側面１１２Ｒ側の側面折り曲げ部１１２Ｒ１の折曲げ角度θＲ１の方を大きくしているので、側面折り曲げ部１１２Ｌ１，１１２Ｒ１を形成するための左右両側面１１２Ｌ，１１２Ｒに対する図上鉛直方向の二条の切り込み量が同じ、すなわち側面折り曲げ部１１２Ｌ１，１１２Ｒ１の長さが同じとすれば、側面折り曲げ部１１２Ｒ１先端部よりも側面折り曲げ部１１２Ｌ１先端部の方がセパレータ支持溝部１１４Ｃの中心に近くなり、側面折り曲げ部１１２Ｌ１，１１２Ｒ１先端部間の中心γが、左右両側面１１２Ｌ，１１２Ｒ間の中心αから偏心することになる。
【００４２】
そのため、本実施の形態１のコンクリート型枠用セパレータ連結金具１では、図４（ａ）に示したように、側面折り曲げ部１１２Ｌ１，１１２Ｒ１それぞれの先端部間の中心γが、右側面１１２Ｒと左側面１１２Ｌの内側面間の中心αと同じとなる一対の突部１１４Ｌ１，１１４Ｒ１先端部間の中心β１から偏心することになるので、先端部間の中心γ，β１がずれている側面折り曲げ部１１２Ｌ１，１１２Ｒ１と突部１１４Ｌ１，１１４Ｒ１とにより、セパレータ２の上方への抜け止めを図るので、この点でも、従来より強固にセパレータ２の上方への抜け止めを図ることができることになる。
【００４３】
なお、本発明では、要は、側面折り曲げ部１１２Ｌ１，１１２Ｒ１先端部の高さがずれれば十分であるので、例えば、図９（ａ）に示すように、右側面１１２Ｒと左側面１１２Ｌの内側面間の中心αを通る中心線αａに近い方の側面折り曲げ部１１２Ｌ３をカットして、側面折り曲げ部１１２Ｌ３，１１２Ｒ３先端部間の中心γが両側面１１２Ｌ，１１２Ｒ間の中心線αａ上に位置するようにしても良いし、さらには、図９（ｂ）に示すように、側面折り曲げ部１１２Ｌ４，１１２Ｒ４を形成するための両側面１１２Ｌ，１１２Ｒに対する図上鉛直方向の二条の切り込みの切り込み量を、側面折り曲げ部１１２Ｒ４の方を長くするものの、折り曲げる角度，θＬ３，θＲ３は同一にして、側面折り曲げ部１１２Ｌ４，１１２Ｒ４先端部の高さを変えても良いし、さらには、図９（ｃ）に示すように、側面折り曲げ部１１２Ｌ５，１１２Ｒ５を単に折り曲げるだけでなく湾曲させるようにしても勿論よい。また、さらに、供回り等による連結金具本体１１のＤ方向への傾きを考慮しないのであれば、図８に示すように、連結金具本体１１の回転方向Ｄ側とは反対方向Ｅ側の側面折り曲げ部１１２Ｌ２の方を深く折り曲げて、右側面１１２Ｒ側の側面折り曲げ部１１２Ｒ２先端部の高さを、それとは反対側となる左側面１１２Ｌ側の側面折り曲げ部１１２Ｌ２先端部の高さより高くしたものでも勿論よい。
【００４４】
実施の形態２．
上記実施の形態１のコンクリート型枠用セパレータ連結金具１では、連結金具本体１１の左右の両側面１１２Ｌ，１１２Ｒに、上辺（上端）から底面１１３に向かって途中まで二条の切り込みを入れ、かつ、その切り込み間の上端を内側に折り曲げて先端部の高さの異なる一対の側面折り曲げ部１１２Ｌ１，１１２Ｒ１を形成して説明したが、本実施の形態２では、これとは異なる方法で一対の側面折り曲げ部を形成したものである。
【００４５】
図１０（ａ），（ｂ）は、それぞれ、実施の形態２のコンクリート型枠用セパレータ連結金具１’の斜視図、および一対の側面折り曲げ部１１２Ｌ６，１１２Ｒ６の折れ曲がり状態を示す断面図である。なお、側面折り曲げ部１１２Ｌ６，１１２Ｒ６以外の形状は、上記実施の形態１のコンクリート型枠用セパレータ連結金具１と同じなので、側面折り曲げ部１１２Ｌ６，１１２Ｒ６以外については、上記実施の形態１のコンクリート型枠用セパレータ連結金具１の構成および符号を使用して説明する。
【００４６】
図１０（ａ），（ｂ）に示すように、実施の形態２のコンクリート型枠用セパレータ連結金具１’では、係合溝部１１１ａまたはセパレータ支持溝１１４Ｃの長手方向、すなわち図上鉛直方向における、結金具本体１１の左右の両側面１１２Ｌ，１１２Ｒの中央部分から上辺（上端）に向かい途中まで図上鉛直方向の二条の切り込みを入れると共に、その中央部分の切り込み開始地点の２箇所を結ぶように図上水平方向の切込みを入れ、かつ、その水平方向の切込み開始先端部を内側に折り曲げて側面折り曲げ部１１２Ｌ６，１１２Ｒ６を形成している。なお、両側面１１２Ｌ，１１２Ｒに図上鉛直方向に形成する二条の切り込みの長さは、同じにして、側面折り曲げ部１１２Ｌ６，１１２Ｒ６の長さを同じにしている。
【００４７】
そして、実施の形態２のコンクリート型枠用セパレータ連結金具１’では、係合溝部１１１ａの長手方向、すなわち図上鉛直方向における、側面折り曲げ部１１２Ｌ６，１１２Ｒ６の先端部の高さをずらすため、側面折り曲げ部１１２Ｌ６，１１２Ｒ６を折り曲げる角度，θＬ４，θＲ４をそれぞれ変えている。具体的には、図１０（ｂ）に示すように、左側の側面折り曲げ部１１２Ｌ６の折り曲げ角度θＬ４を、右側の側面折り曲げ部１１２Ｒ６の折り曲げ角度θＲ４より大きくしている。
【００４８】
これにより、実施の形態２のコンクリート型枠用セパレータ連結金具１’では、係合溝部１１１ａの長手方向、すなわち図上鉛直方向における、左側の側面折り曲げ部１１２Ｌ６の先端部の高さを、右側の側面折り曲げ部１１２Ｒ６の先端部の高さより高くしている。しかも、両側面１１２Ｌ，１１２Ｒに図上鉛直方向に形成する二条の切り込みの長さは、同じにしているので、実施の形態１の側面折り曲げ部１１２Ｌ１，１１２Ｒ１と同様に、右側の側面折り曲げ部１１２Ｒ６先端部よりも、左側の側面折り曲げ部１１２Ｌ６先端部の方が係合溝部１１１ａの中心、すなわちセパレータ支持溝部１１４Ｃの中心に近く、側面折り曲げ部１１２Ｌ６，１１２Ｒ６先端部間の中心γが偏心しているということになる。
【００４９】
従って、実施の形態２のコンクリート型枠用セパレータ連結金具１’の側面折り曲げ部１１２Ｌ６，１１２Ｒ６によっても、実施の形態１の側面折り曲げ部１１２Ｌ１，１１２Ｒ１と同様に、上記（１）〜（３）の効果が得られる。
【００５０】
なお、本実施の形態２では、図１０（ａ），（ｂ）に示すように、側面折り曲げ部１１２Ｌ６，１１２Ｒ６先端部間の中心γを両側面１１２Ｌ，１１２Ｒ間の中心αを通る中心線αａに対し偏心させて形成しているが、本発明では、要は、側面折り曲げ部１１２Ｌ６，１１２Ｒ６の先端部の高さがずれれば十分であるので、例えば、図１１（ａ）に示すように、中心線αａに近い方の側面折り曲げ部１１２Ｌ７をカットして、側面折り曲げ部１１２Ｌ７，１１２Ｒ７先端部間の中心γが両側面１１２Ｌ，１１２Ｒ間の中心線αａ上に位置するようにしても良いし、さらには、図１１（ｂ）に示すように、側面折り曲げ部１１２Ｌ８，１１２Ｒ８を形成するための両側面１１２Ｌ，１１２Ｒに対する図上鉛直方向の二条の切り込み開始位置を左側面１１２Ｌの方を高くするものの、切り込み量と折り曲げ角度θＬ５，θＲ５は同一にして、側面折り曲げ部１１２Ｌ８先端部の高さを、側面折り曲げ部１１２Ｒ８先端部の高さより高くしても良いし、さらには、図１１（ｃ）に示すように、側面折り曲げ部１１２Ｌ９，１１２Ｒ９を単に折り曲げるだけでなく、湾曲させた上で側面折り曲げ部１１２Ｌ９，１１２Ｒ９の先端部の高さをずらすようにしても勿論よい。
【００５１】
実施の形態３．
実施の形態３のコンクリート型枠用セパレータ連結金具１”では、セパレータ２の仮置きを考慮して、側面折り曲げ部の高さと、連結金具本体１１の前側面１１４に設ける一対の突部１１４Ｌ２，１１４Ｒ２の高さとの関係を規定したものである。なお、本実施の形態３では、側面折り曲げ部の形状および高さ等については、上記実施の形態１，２のどれでも良いが、ここでは、説明の便宜上、側面折り曲げ部１１２Ｌ１，１１２Ｒ１を一例に説明する。
【００５２】
図１２は、実施の形態３のコンクリート型枠用セパレータ連結金具１”の正面図である。
【００５３】
図１２に示すように、実施の形態３のコンクリート型枠用セパレータ連結金具１”では、両側面１１２Ｌ，１１２Ｒに設ける側面折り曲げ部１１２Ｌ１，１１２Ｒ１先端部の高さより、連結金具本体１１の前側面１１４に設ける一対の突部１１４Ｌ２，１１４Ｒ２先端部の高さを高くしたことを特徴としている。また、実施の形態３のコンクリート型枠用セパレータ連結金具１”では、前側面１１４に設ける一対の突部１１４Ｌ２，１１４Ｒ２は、それらの大きさが同じで、先端部の高さ（突出量）が同じであり、先端部間の中心β２がセパレータ支持溝部１１４Ｃの中心、すなわち左右両側面１１２Ｌ，１１２Ｒ間の中心αを通る中心線αａ上に位置するように形成している。それ以外の構成は、上記実施の形態１，２と同様である。
【００５４】
従って、本実施の形態３のコンクリート型枠用セパレータ連結金具１”では、実施の形態１と同様に、上記（１）〜（３）の効果が得られると共に、セパレータ２をこの実施の形態３のコンクリート型枠用セパレータ連結金具１”の連結金具本体１１に仮置きした場合に、セパレータ２は、先端部の高さのずれた側面折り曲げ部１１２Ｌ１，１１２Ｒ１ではなく、先端部の高さが同じで、かつ、先端部間の中心β２もセパレータ支持溝部１１４Ｃの中心、すなわち左右両側面１１２Ｌ，１１２Ｒ間の中心αを通る中心線αａ上となる一対の突部１１４Ｌ２，１１４Ｒ２の上に仮置きされるので、セパレータ２を連結金具本体１１に安定して仮置きすることが可能となる。
【符号の説明】
【００５５】
１，１’，１”  コンクリート型枠用セパレータ連結金具
１１  連結金具本体
１１ａ  ナット収容部
１１１  後側面
１１１ａ  係合溝部
１１２Ｒ  右側面
１１２Ｌ  左側面
１１２Ｌ１〜９，１１２Ｒ１〜９  側面折り曲げ部
１１３  底面
１１４  前側面
１１４Ｌ１，１１４Ｒ１，１１４Ｒ２，１１４Ｌ２  突部
１１４Ｃ  セパレータ支持溝部
１２  ネジ棒
１３  コーン部材
２  コンクリート型枠用セパレータ
２ａ  軸部
２ｂ  ネジ部
２ｃ  ナット
４，４  コンクリート型枠板
５  鉄筋
６  フォームタイ（型枠締付金具）
７，８  バタ材（通しバタ）
【図１】
2012127104.tif 000003
【図２】
2012127104.tif 000004
【図３】
2012127104.tif 000005
【図４】
2012127104.tif 000006
【図５】
2012127104.tif 000007
【図６】
2012127104.tif 000008
【図７】
2012127104.tif 000009
【図８】
2012127104.tif 000010
【図９】
2012127104.tif 000011
【図１０】
2012127104.tif 000012
【図１１】
2012127104.tif 000013
【図１２】
2012127104.tif 000014